【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】
被写体を通過した放射線によって生成された放射線画像を処理する画像処理装置であって、
放射線画像が通常撮影と位相コントラスト撮影のどちらで撮影されたかを示す撮影モードを検出する撮影条件検出部と、
該撮影条件検出部で検出される撮影条件に基づいて画像処理条件を設定可能な画像処理条件設定部と、を備えていることを特徴とする画像処理装置。
【請求項２】
請求項１に記載の画像処理装置であって、
前記画像処理条件設定部は、前記撮影条件検出部で検出される撮影条件に基づいて、放射線画像の画像特性が最適化されるように、画像処理条件を設定可能となっていることを特徴とする画像処理装置。
【請求項３】
請求項１又は２に記載の画像処理装置であって、
前記画像処理条件設定部は、前記撮影条件検出部で検出される撮影条件及び過去に撮影された特定の放射線画像から取得される当該特定放射線画像の画像特性に基づいて、放射線画像の画像特性が前記特定放射線画像の画像特性と一致するように、画像処理条件を設定可能となっていることを特徴とする画像処理装置。
【請求項４】
請求項１〜３のいずれか一項に記載の画像処理装置であって、
前記撮影条件検出部で検出される撮影条件は、撮影プレートの種類、放射線質、画像拡大率、放射線源と被写体台及び／又は被写体台と放射線画像検出器との間の距離、画素信号値、ｍＡｓ値並びにグリッド条件のうちの少なくとも１つ以上を含むことを特徴とする画像処理装置。
【請求項５】
請求項１〜４のいずれか一項に記載の画像処理装置であって、
前記画像処理条件設定部で設定される画像処理条件は、周波数特性、コントラスト、濃度、特定パターン強調条件、ＬＵＴ、画像認識条件のうちの少なくとも１つ以上を含むことを特徴とする画像処理装置。
【請求項６】
請求項１〜５のいずれか一項に記載の画像処理装置であって、
前記画像処理条件設定部は、画像処理条件のパターンが複数記憶された画像処理条件記憶部を備えており、前記撮影条件検出部で検出される撮影条件に応じて前記画像処理条件記憶部の中から最適な画像処理条件のパターンを選択するようになっていることを特徴とする画像処理装置。
【請求項７】
請求項６に記載の画像処理装置であって、
前記画像処理条件記憶部は、標準的な画像処理条件のパターンを記憶しており、
前記画像処理条件設定部は、前記撮影条件検出部で検出される撮影条件に応じて、前記画像処理条件記憶部に記憶された標準的な画像処理条件のパターンのパラメータを補正して選択することを特徴とする画像処理装置。
【請求項８】
請求項１〜７のいずれか一項に記載の画像処理装置であって、
撮影条件に関する情報及び／又は画像特性に関する情報は、通信回線を介して送受信可能となっていることを特徴とする画像処理装置。
【請求項９】
被写体を通過した放射線によって生成された放射線画像を処理する画像処理方法であって、
放射線画像が通常撮影と位相コントラスト撮影のどちらで撮影されたかを示す撮影モードを撮影条件として検出する工程と、検出された撮影条件に基づいて画像処理条件を設定する工程とを含むことを特徴とする画像処理方法。
【請求項１０】
被写体を通過した放射線によって生成された放射線画像を処理するコンピュータに、
放射線画像が通常撮影と位相コントラスト撮影のどちらで撮影されたかを示す撮影モードを撮影条件として検出する機能と、検出された撮影条件に基づいて画像処理条件を設定する機能とを実現させるためのプログラム。
【請求項１１】
被写体を通過した放射線によって生成された放射線画像を処理するためのコンピュータが実行可能なプログラムを格納した記憶媒体であって、
放射線画像が通常撮影と位相コントラスト撮影のどちらで撮影されたかを示す撮影モードを撮影条件として検出し、検出された撮影条件に基づいて画像処理条件を設定するためのコンピュータが実行可能なプログラムコードを含むプログラムを格納したことを特徴とする記憶媒体。
【手続補正２】
【補正対象書類名】明細書
【補正対象項目名】０００９
【補正方法】変更
【補正の内容】
【０００９】
【課題を解決するための手段】
上記課題を解決するために、請求項１に記載の発明は、
被写体を通過した放射線によって生成された放射線画像を処理する画像処理装置であって、
放射線画像が通常撮影と位相コントラスト撮影のどちらで撮影されたかを示す撮影モードを検出する撮影条件検出部と、
該撮影条件検出部で検出される撮影条件に基づいて画像処理条件を設定可能な画像処理条件設定部と、を備えていることを特徴としている。
【手続補正３】
【補正対象書類名】明細書
【補正対象項目名】００１０
【補正方法】変更
【補正の内容】
【００１０】
請求項１に記載の発明によれば、放射線画像を撮影した際の撮影条件を検出可能な撮影条件検出部と、該撮影条件検出部で検出される撮影条件に基づいて画像処理条件を設定可能な画像処理条件設定部と、を備えているため、確実に撮影条件の異なる放射線画像や異機種により撮影された放射線画像の画像データを補正して比較読影を容易にすることができ、診断精度及び診断効率を向上させることができる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項２に記載の発明は、
請求項１に記載の画像処理装置であって、
前記画像処理条件設定部は、前記撮影条件検出部で検出される撮影条件に基づいて、放射線画像の画像特性が最適化されるように、画像処理条件を設定可能となっていることを特徴としている。
【手続補正７】
【補正対象書類名】明細書
【補正対象項目名】００１５
【補正方法】変更
【補正の内容】
【００１５】
請求項２に記載の発明によれば、撮影条件の異なる放射線画像や異機種により撮影された放射線画像の画像データを画像特性の最適化された放射線画像に補正することにより、それぞれの画像特性を一致させて比較読影を容易にすることができ、診断精度及び診断効率を向上させることができる。
【手続補正８】
【補正対象書類名】明細書
【補正対象項目名】００１６
【補正方法】変更
【補正の内容】
【００１６】
請求項３に記載の発明は、
請求項１又は２に記載の画像処理装置であって、
前記画像処理条件設定部は、前記撮影条件検出部で検出される撮影条件及び過去に撮影された特定の放射線画像から取得される当該特定放射線画像の画像特性に基づいて、放射線画像の画像特性が前記特定放射線画像の画像特性と一致するように、画像処理条件を設定可能となっていることを特徴としている。
【手続補正９】
【補正対象書類名】明細書
【補正対象項目名】００１７
【補正方法】変更
【補正の内容】
【００１７】
請求項３に記載の発明によれば、画像特性の異なる放射線画像を、過去に撮影された特定の放射線画像の画像特性と一致するように画像処理することにより、比較読影を容易にすることができ、診断精度及び診断効率を向上させることができる。
【手続補正１０】
【補正対象書類名】明細書
【補正対象項目名】００１８
【補正方法】変更
【補正の内容】
【００１８】
請求項４に記載の発明は、
請求項１〜３のいずれか一項に記載の画像処理装置であって、
前記撮影条件検出部で検出される撮影条件は、撮影プレートの種類、放射線質、画像拡大率、放射線源と被写体台及び／又は被写体台と放射線画像検出器との間の距離、画素信号値、ｍＡｓ値並びにグリッド条件のうちの少なくとも１つ以上を含むことを特徴としている。
【手続補正１１】
【補正対象書類名】明細書
【補正対象項目名】００１９
【補正方法】変更
【補正の内容】
【００１９】
請求項４に記載の発明によれば、具体的な撮影条件を挙げることにより、本発明をより確実に実行することができる。
【手続補正１２】
【補正対象書類名】明細書
【補正対象項目名】００２０
【補正方法】変更
【補正の内容】
【００２０】
請求項５に記載の発明は、
請求項１〜４のいずれか一項に記載の画像処理装置であって、
前記画像処理条件設定部で設定される画像処理条件は、周波数特性、コントラスト、濃度、特定パターン強調条件、ＬＵＴ、画像認識条件のうちの少なくとも１つ以上を含むことを特徴としている。
【手続補正１３】
【補正対象書類名】明細書
【補正対象項目名】００２１
【補正方法】変更
【補正の内容】
【００２１】
請求項５に記載の発明によれば、具体的な画像処理条件を挙げることにより、本発明をより確実に実行することができる。
【手続補正１４】
【補正対象書類名】明細書
【補正対象項目名】００２２
【補正方法】変更
【補正の内容】
【００２２】
請求項６に記載の発明は、
請求項１〜５のいずれか一項に記載の画像処理装置であって、
前記画像処理条件設定部は、画像処理条件のパターンが複数記憶された画像処理条件記憶部を備えており、前記撮影条件検出部で検出される撮影条件に応じて前記画像処理条件記憶部の中から最適な画像処理条件のパターンを選択するようになっていることを特徴としている。
【手続補正１５】
【補正対象書類名】明細書
【補正対象項目名】００２３
【補正方法】変更
【補正の内容】
【００２３】
請求項６に記載の発明によれば、撮影条件に応じて最適な画像処理条件のパターンが選択可能となるように、画像処理条件記憶部を備えているため、迅速かつ確実に撮影条件に応じた画像処理条件を設定することができ、これにより迅速かつ確実に比較読影を容易な状態とすることができ、診断精度及び診断効率を向上させることができる。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】変更
【補正の内容】
【００２６】
請求項７に記載の発明は、
請求項６に記載の画像処理装置であって、
前記画像処理条件記憶部は、標準的な画像処理条件のパターンを記憶しており、
前記画像処理条件設定部は、前記撮影条件検出部で検出される撮影条件に応じて、前記画像処理条件記憶部に記憶された標準的な画像処理条件のパターンのパラメータを補正して選択することを特徴としている。
【手続補正１９】
【補正対象書類名】明細書
【補正対象項目名】００２７
【補正方法】変更
【補正の内容】
【００２７】
請求項７に記載の発明によれば、撮影条件に応じて、記憶された標準的な画像処理条件のパターンのパラメータを補正して選択されるようになっているため、余分なデータを保有せずに効率よく処理を行うことができる。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】変更
【補正の内容】
【００３０】
請求項８に記載の発明は、
請求項１〜７のいずれか一項に記載の画像処理装置であって、
撮影条件に関する情報及び／又は画像特性に関する情報は、通信回線を介して送受信可能となっていることを特徴としている。
【手続補正２３】
【補正対象書類名】明細書
【補正対象項目名】００３１
【補正方法】変更
【補正の内容】
【００３１】
請求項８に記載の発明によれば、撮影条件、画像特性に関する情報が通信回線を介して送受信可能となっているため、離れた場所にある装置や複数の装置に対しても適切な画像処理を行うことができる。
【手続補正２４】
【補正対象書類名】明細書
【補正対象項目名】００３２
【補正方法】変更
【補正の内容】
【００３２】
請求項９に記載の発明は、
被写体を通過した放射線によって生成された放射線画像を処理する画像処理方法であって、
放射線画像が通常撮影と位相コントラスト撮影のどちらで撮影されたかを示す撮影モードを撮影条件として検出する工程と、検出された撮影条件に基づいて画像処理条件を設定する工程とを含むことを特徴としている。
【手続補正２５】
【補正対象書類名】明細書
【補正対象項目名】００３３
【補正方法】変更
【補正の内容】
【００３３】
請求項９に記載の発明によれば、撮影モードが通常撮影か位相コントラスト撮影かといった撮影条件に基づいて画像処理条件を設定可能であるため、撮影条件の異なる放射線画像や異機種により撮影された放射線画像の画像データを補正して比較読影を容易にすることができ、診断精度及び診断効率を向上させることができる。
【手続補正２６】
【補正対象書類名】明細書
【補正対象項目名】００３４
【補正方法】変更
【補正の内容】
【００３４】
請求項１０に記載の発明は、
被写体を通過した放射線によって生成された放射線画像を処理するコンピュータに、
放射線画像が通常撮影と位相コントラスト撮影のどちらで撮影されたかを示す撮影モードを撮影条件として検出する機能と、検出された撮影条件に基づいて画像処理条件を設定する機能とを実現させるためのプログラムである。
【手続補正２７】
【補正対象書類名】明細書
【補正対象項目名】００３５
【補正方法】変更
【補正の内容】
【００３５】
請求項１０に記載の発明によれば、撮影モードが通常撮影か位相コントラスト撮影かといった撮影条件に基づいて画像処理条件を設定可能であるため、撮影条件の異なる放射線画像や異機種により撮影された放射線画像の画像データを補正して比較読影を容易にすることができ、診断精度及び診断効率を向上させることができる。
【手続補正２８】
【補正対象書類名】明細書
【補正対象項目名】００３６
【補正方法】変更
【補正の内容】
【００３６】
請求項１１に記載の発明は、
被写体を通過した放射線によって生成された放射線画像を処理するためのコンピュータが実行可能なプログラムを格納した記憶媒体であって、
放射線画像が通常撮影と位相コントラスト撮影のどちらで撮影されたかを示す撮影モードを撮影条件として検出し、検出された撮影条件に基づいて画像処理条件を設定するためのコンピュータが実行可能なプログラムコードを含むプログラムを格納したことを特徴としている。
【手続補正２９】
【補正対象書類名】明細書
【補正対象項目名】００３７
【補正方法】変更
【補正の内容】
【００３７】
請求項１１に記載の発明によれば、撮影モードが通常撮影か位相コントラスト撮影かといった撮影条件に基づいて画像処理条件を設定可能であるため、撮影条件の異なる放射線画像や異機種により撮影された放射線画像の画像データを補正して比較読影を容易にすることができ、診断精度及び診断効率を向上させることができる。
【手続補正３０】
【補正対象書類名】明細書
【補正対象項目名】００８５
【補正方法】変更
【補正の内容】
【００８５】
請求項１、９、１０、１１に記載の発明によれば、撮影モードが通常撮影か位相コントラスト撮影かといった撮影条件に基づいて画像処理条件を設定可能であるため、撮影条件の異なる放射線画像や異機種により撮影された放射線画像の画像データを補正して比較読影を容易にすることができ、診断精度及び診断効率を向上させることができる。
【手続補正３１】
【補正対象書類名】明細書
【補正対象項目名】００８６
【補正方法】削除
【補正の内容】
【手続補正３２】
【補正対象書類名】明細書
【補正対象項目名】００８７
【補正方法】変更
【補正の内容】
【００８７】
請求項２に記載の発明によれば、撮影条件の異なる放射線画像や異機種により撮影された放射線画像の画像データを画像特性の最適化された放射線画像に補正することにより、それぞれの画像特性を一致させて比較読影を容易にすることができ、診断精度及び診断効率を向上させることができる。
【手続補正３３】
【補正対象書類名】明細書
【補正対象項目名】００８８
【補正方法】変更
【補正の内容】
【００８８】
請求項３に記載の発明によれば、画像特性の異なる放射線画像を、過去に撮影された特定の放射線画像の画像特性と一致するように画像処理することにより、比較読影を容易にすることができ、診断精度及び診断効率を向上させることができる。
【手続補正３４】
【補正対象書類名】明細書
【補正対象項目名】００８９
【補正方法】変更
【補正の内容】
【００８９】
請求項４に記載の発明によれば、具体的な撮影条件を挙げることにより、本発明をより確実に実行することができる。
【手続補正３５】
【補正対象書類名】明細書
【補正対象項目名】００９０
【補正方法】変更
【補正の内容】
【００９０】
請求項５に記載の発明によれば、具体的な画像処理条件を挙げることにより、本発明をより確実に実行することができる。
【手続補正３６】
【補正対象書類名】明細書
【補正対象項目名】００９１
【補正方法】変更
【補正の内容】
【００９１】
請求項６に記載の発明によれば、撮影条件に応じて最適な画像処理条件のパターンが選択可能となるように、画像処理条件記憶部を備えているため、迅速かつ確実に撮影条件に応じた画像処理条件を設定することができ、これにより迅速かつ確実に比較読影を容易な状態とすることができ、診断精度及び診断効率を向上させることができる。
【手続補正３７】
【補正対象書類名】明細書
【補正対象項目名】００９２
【補正方法】削除
【補正の内容】
【手続補正３８】
【補正対象書類名】明細書
【補正対象項目名】００９３
【補正方法】変更
【補正の内容】
【００９３】
請求項７に記載の発明によれば、撮影条件に応じて、記憶された標準的な画像処理条件のパターンのパラメータを補正して選択されるようになっているため、余分なデータを保有せずに効率よく処理を行うことができる。
【手続補正３９】
【補正対象書類名】明細書
【補正対象項目名】００９４
【補正方法】削除
【補正の内容】
【手続補正４０】
【補正対象書類名】明細書
【補正対象項目名】００９５
【補正方法】変更
【補正の内容】
【００９５】
請求項８に記載の発明によれば、撮影条件、画像特性に関する情報が通信回線を介して送受信可能となっているため、離れた場所にある装置や複数の装置に対しても適切な画像処理を行うことができる。